(57)【特許請求の範囲】
【請求項１】
建物壁に開口部が形成され、
前記建物壁の屋内側における前記開口部周辺に取付部が設けられ、
前記取付部に、格子を形成する枠体によって構成された防犯用の面格子本体が、前記開口部の屋内側に対向して設けられ、
前記開口部を前記面格子本体により覆った状態から開放状態にすることができるよう、前記取付部を中心として前記面格子本体を屋内側へ回動可能とする回動軸を備え、
前記面格子本体に熱発生手段を備え、該熱発生手段が外部から前記面格子本体内に供給される熱媒体を流通させる構造を有して構成されており、
前記回動軸には、前記熱発生手段から前記面格子本体内に前記熱媒体を供給及び排出させる給排菅が接続されている、
ことを特徴とする建物。
【請求項２】
前記取付部に対して前記面格子本体を回動不能にロックするロック手段を備えた請求項１に記載の建物。
【請求項３】
前記給排管はフレキシブルチューブによって構成されている請求項１又は２に記載の建物。
【発明の詳細な説明】
【技術分野】
【０００１】
本発明は、面格子を備えた建物に関する。
【背景技術】
【０００２】
建物において、窓等の開口部には、防犯の観点から面格子が設けられる場合がある。面格子は、通常は開口部の屋外側に取り付けられるが、建物の外観を損なわないように屋内側に取り付けられるものも提案されている。このような屋内側に取り付けられる面格子にあっては、緊急時において脱出ルートを確保する観点から開口部を開放可能とされた面格子も提案されている（例えば、特許文献１参照）。
【特許文献１】特公平６−３３７００号公報
【発明の開示】
【発明が解決しようとする課題】
【０００３】
本発明は、面格子が窓等の開口部に配設されることに着目し、単なる防犯だけのための使用にとどまらず、更なる改良を加えて居住性を向上させるのに寄与することのできる、面格子を備えた建物を提供することを主たる目的とする。
【課題を解決するための手段】
【０００４】
上記課題を解決するのに有効な手段につき、必要に応じて作用、効果、より踏み込んだ具体的手段等を示しつつ説明する。なお、理解を容易にするため、発明の実施の形態において対応する主要な構成を括弧書きで適宜示すが、この括弧書きで示した具体的構成に限定されない。
【０００５】
本発明は、建物の開口部（開口部１２）に対向して設けられるとともに、格子を形成する枠体（縦枠２３，２４、横枠２５）によって面格子本体（面格子本体２２）が構成された面格子（面格子２１）であって、熱発生手段を備えたことを特徴とする。
【０００６】
本発明によれば、熱発生手段から発生される熱により、建物の開口部の温度を高めることができる。これにより、開口部はそれ以外の壁部分よりも断熱性能が劣るものの、これを温水による温度上昇により補完することができ、建物全体の保温性能を向上させることができる。また、開口部における所謂コールドドラフト現象の発生を抑制することができる。しかも、上記のような開口部を暖める機能を、別途暖房機を設置することにより得るのではなく、面格子によって得ているため、スペースの有効利用を図ることができる。
【０００７】
上記熱発生手段の一例として、前記枠体の少なくとも一部を管体により形成し、その管体内を熱媒体の流通路（循環路４６）とすることができる。このように熱媒体の流通路を備えた面格子では、温水供給装置（温水供給装置６２）から供給される温水を通す給排管（弾性チューブ５１）と接続される接続部（左縦枠２３下端部の突部３１）を面格子に備えたものであることが好ましい。
【０００８】
これにより、面格子本体の内部に熱媒体の流通路を形成して当該熱媒体を流通させることにより、面格子本体が暖房機能を有することとなり、上記したのと同様の効果が期待できる。しかも、このように面格子本体を構成する枠体内に熱媒体を通すものであるから、スペース低減効果は一層際立ったものとなるし、美観上も好ましい。さらに、熱媒体として温水を用いることとすれば、他の給湯用などに用いる温水供給装置を兼用させることができ、本発明の面格子を大幅なコストアップなく採用することができる。
【０００９】
以上の面格子を建物に設置する場合、面格子本体は、建物壁の開口部周辺に設けられた取付部（ブラケット２６）に取り付けられる。
【００１０】
そして、上記建物においては、前記開口部を面格子本体により覆った状態から開放させるべく、前記取付部を中心として前記面格子本体の一部又は全部を回動可能とする回動軸（左縦枠２３及びその上下両端の突部３１）を備えることが好ましい。また、このように面格子本体を回動させる機能を有する場合にあっては、前記取付部に対して前記面格子本体を回動不能にロックするロック手段（右縦枠２４の上下両端の突部３１）を備えることが一層好ましい。
【００１１】
このように構成することにより、開口部を面格子により覆った状態から開放することができ、非常時の脱出ルートを確保することができ、開口部に設けられる窓等の清掃にも便利である等の利点がある。また、ロック手段を設けた場合には、開口部を面格子本体で覆った状態を確実に維持することができる。
【００１２】
また、上記建物には、温水供給装置（温水供給装置６２）から供給される温水を通す給排管（弾性チューブ５１）を備え、当該給排管が前記面格子本体の回動軸に接続されていることが好ましく、当該給排管はフレキシブルチューブによって構成されていることが一層好ましい。
【００１３】
このように面格子本体の回動軸に給排管が接続されることで、面格子本体を開口部から開放する場合の取扱いが容易になる。特に、給排管をフレキシブルチューブによって構成した場合には、面格子本体の回動に伴いフレキシブルチューブが捩れることで回動軸との接続部分の変位を吸収することができるので、面格子本体を回動させる操作時に特に接続部分の外れその他の問題を気にしなくて済み、操作性が高まる。
【００１４】
さらに、面格子は建物の屋内側に設置することができ、この場合には前記取付部を建物壁の屋内側（屋内側壁面１４）に設け、前記面格子本体を前記開口部の屋内側に対向して設けることにより実現することができる。
【００１５】
このように屋内側に面格子を設置した場合には、上記したコールドドラフト現象の低減効果が著しく、また上記した面格子本体の開閉機能を付与したとしても上記したロック機能さえあれば防犯性能は十分維持することが可能となる。
【発明を実施するための最良の形態】
【００１６】
以下に、発明を具体化した実施の形態について、図面を参照しつつ説明する。図１は面格子の正面図、図２は面格子の右側面図、図３は面格子の左側面図、図４は面格子の平面図である。なお、各図においては、説明の便宜上、一部を切り欠き、また補助線等を加えてある。
【００１７】
図１乃至図４に示すように、建物は屋内外を仕切る壁１１を有しており、壁１１内に断熱材が設けられることにより高度の断熱性が確保されている。壁１１には各所に開口部１２が設けられ、開口部１２にはそれぞれ窓１３が設けられている。開口部１２の屋内側には、面格子２１が取り付けられている。特に、本実施形態では、面格子２１は壁１１の特に屋内側壁面１４に設けられている。なお、壁１１、開口部１２、窓１３のそれぞれについては全体像を示す概略図として仮想的に示している。
【００１８】
以下、面格子２１の構成について説明する。面格子２１の主要部を構成する面格子本体２２は、所定間隔をおいて配置され上下方向へ延びる左縦枠２３及び右縦枠２４と、これ
ら両縦枠２３，２４間に掛け渡されるように連結された複数本の横枠２５とを備えている。横枠２５は本実施形態では８本設けられ、互いに平行となるように配置されている。したがって、面格子本体２２は、一対の縦枠２３，２４及び複数の横枠２５により、全体として矩形の枠体となるように一体に設けられている。なお、以下の説明では、各横枠２５を個別に特定する必要がある場合、最上段から最下段に向けて順に第１横枠２５−１（最上段の横枠）、第２横枠２５−２、・・・、第８横枠２５−８（最下段の横枠）と称する。
【００１９】
面格子本体２２の四隅位置に対応してブラケット２６がそれぞれ設けられている。各ブラケット２６は、壁１１の屋内側壁面１４又は開口部１２周辺の窓用サッシ枠（図示せず）にビス２７により固定されている。各ブラケット２６には上下方向に貫通する貫通孔２８がそれぞれ形成され、上下に対応するブラケット２６同士では両貫通孔２８が同軸上にかつ各縦枠２３，２４の長さと同一幅の間隔となるように配置されている。貫通孔２８は、その孔径が各縦枠２３，２４の外径よりも小さくなるように形成されている。
【００２０】
一方、面格子本体２２には、各縦枠２３，２４の上下両端部に円柱形状の突部３１が形成されている。突部３１はその外径が貫通孔２８の径とほぼ同一となるように形成されている。すなわち、各縦枠２３，２４と突部３１との間には径の違いにより段差部３２が形成されている。各縦枠２３，２４に設けられた突部３１はそれぞれ同軸上に配されており、それぞれ対応するブラケット２６の貫通孔２８に挿入されている。したがって、面格子本体２２は、段差部３２がブラケット２６の貫通孔２８周辺部に当接又は近接された状態にて当該ブラケット２６に支持されている。
【００２１】
前記各突部３１のうち、左縦枠２３側の上下一対の突部３１は当該左縦枠２３に固定されている。したがって、ブラケット２６を取り外さない限り、左縦枠２３側の突部３１はブラケット２６の貫通孔２８に挿入支持された状態が維持されるようになっている。
【００２２】
一方、右縦枠２４側の上下一対の突部３１は当該右縦枠２４とは別体として設けられ、その基端部に拡径部３３が一体形成されている。右縦枠２４の上下両端部には各拡径部３３を収容する収容空間部３４が形成されている。拡径部３３は収容空間部３４内において一定範囲の上下移動が許容されており、収容空間部３４に収容された付勢手段としてのコイルスプリング３５によって常に突部３１が突出する側へと付勢されている。右縦枠２４には、収容空間部３４に連通しかつ上下方向へ延びる長孔状のガイド孔３６が形成されており、拡径部３３には操作レバー３７がガイド孔３６より突出するようにして設けられている。
【００２３】
したがって、操作レバー３７をコイルスプリング３５の付勢力に抗して反ブラケット２６側へ移動操作すると、突部３１がブラケット２６の貫通孔２８から離脱し、右縦枠２４を上下のブラケット２６から取り外すことができる。そして、この状態では、図４の２点鎖線で示すように、左縦枠２３の上下軸線を中心として面格子本体２２が屋内側に回動させることができる。このように回動させることにより、窓１３を含む開口部１２が面格子２１による被覆状態から開放される。
【００２４】
さて、本実施形態では、面格子本体２２内を温水が流通できるように構成されている。そこで、かかる構成について、以下に説明する。
【００２５】
面格子本体２２の各縦枠２３，２４及び各横枠２５は、いずれも内部が中空となった管体により形成されている。そして、左縦枠２３と各横枠２５との各連結部、及び右縦枠２４と各横枠２５との各連結部は、いずれも内部で連通されている。
【００２６】
右縦枠２４の内部では、第２横枠２５−２と第３横枠２３−３との間、第４横枠２５−４と第５横枠２５−５との間、第６横枠２５−６と第７横枠２５−７との間が、それぞれ上下内部空間を仕切る第１仕切板部４１によって区画されている。
【００２７】
また、左縦枠２３の内部では下側の突部３１も中空の管体により形成されており、左縦枠２３の内部に連通されている。当該突部３１は第２仕切板部４２により長手方向にみて流路が２分されている。第２仕切板部４２は左縦枠２３内の上端部付近まで至り、最上段の第１横枠２５−１とその直下の第２横枠２５−２との間を第３仕切板部４３によって仕切っている。したがって、第２仕切板部４２及び第３仕切板部４３により区画された一方の流路は最上部の第１横枠２５−１に連通されている。
【００２８】
第２仕切板部４２により区画された他方の流路は最下部の第８横枠２５−８に連通されているが、当該他方の流路は第１横枠２８−１と第２横枠２５−２との間、第３横枠２５−３と第４横枠２５−４との間、第５横枠２５−５と第６横枠２５−６との間、第７横枠２５−７と第８横枠２５−８との間が、それぞれ上下内部空間を仕切る第４仕切板部４４によって区画されている。この区画は、右縦枠２４の内部における第１仕切板部４１による区画位置とは互い違いとなっている。
【００２９】
以上の構成により、面格子本体２２内では、図１に示すように、左縦枠２３の下端に設けられた突部３１内の第２仕切板部４２で区画された一方の流路から左縦枠２３内へ、そこから最下段の第８横枠２５−８へ、そこから右縦枠２４内を介して第７横枠２５−７へ、そこから左縦枠２３内を介して第６横枠２５−６へ、と順次蛇行しながら上側の横枠２５を通過していく。そして、最上段の第１横枠２５−１を通過して左縦枠２３内の上下へ貫通した流路を介して、その下端に設けられた突部３１内の他方の流路を通過する一連の循環路４６が形成されている。すなわち、各縦枠２３，２４、各横枠２５、さらには左縦枠２３下端の突部３１は循環路４６の形成部材を兼ねている。
【００３０】
ここで、左縦枠２３の下端の突部３１は他の突部３１よりも長く形成されており、ブラケット２６の下端よりも下方に突出されている。そして、その下方突出部には弾性変形可能な弾性チューブ４７の一端が接続されている。弾性チューブ５１内には、同じく弾性変形可能な往路管５２及び復路管５３が設けられている。往路管５２は面格子本体２２に設けられた循環路４６の入口側、すなわち横枠２５のうち第８横枠２５−８と最初に連通される側に接続されており、復路管５３は面格子本体２２に設けられた循環路４６の出口側、すなわち横枠２５のうち第１横枠２５−１と最初に連通される側に接続されている。
【００３１】
弾性チューブ５１の先端部には袋ナット５４が設けられており、当該袋ナット５４を締め付けることにより、弾性チューブ５１は壁１１に取り付けられる接続アダプタ５５にパッキン５６を介して接続されている。なお、前記パッキン５６は、弾性チューブ５１と接続アダプタ５５との間のシールのみならず、往路管５２と復路管５３との間のシールも行っている。接続アダプタ５５には供給管５７と回収管５８とがそれぞれ接続されている。そして、往路管５２と供給管５７とが接続アダプタ５５を介して接続されるとともに、復路管５３と回収管５８とが接続アダプタ５５を介して接続されている。
【００３２】
供給管５７及び回収管５８は、屋内側壁面１４に形成された壁孔６１を介して壁１１内に導かれており、例えば屋外に設置された温水供給装置６２にそれぞれ接続されている。なお、屋内側において、前記接続アダプタ５５、供給管５７、回収管５８及び壁孔６１は、化粧カバー６３によって覆われており、これにより屋内の美観が維持されている。
【００３３】
このように構成された面格子２１を備えた建物では、温水供給装置６２から温水が供給管５７を介して供給され、その温水が往路管５２を経て面格子本体２２に導入される。面
格子本体２２内では、既述のとおり蛇行した経路を辿る循環路４６を温水が通過する。その後、復路管５３を介して面格子本体２２から排出された温水は、回収管５８を介して温水供給装置６２に戻される。
【００３４】
以上説明した構成及び作用により、本実施形態の面格子２１及びこれを開口部１２に備えた建物においては、以下に示す有利な効果が得られる。
【００３５】
面格子本体２２の内部に循環路４６を形成して温水を通すようにしたことにより、面格子本体２２が暖房機能を有することになり、建物の開口部１２及びここを覆う窓１３周辺の屋内側温度を高めることができる。これにより、開口部１２はそれ以外の壁１１部分よりも断熱性能が劣るものの、これを温水による温度上昇により補完することができ、建物全体の保温性能を向上させることができる。
【００３６】
また、上記効果とも関連するが、一般に、冬季においては、開口部１２周辺の温度が屋内の平均温度よりも極端に下がって、開口部１２の屋内空気が冷却される。すると、そこでは下降気流が発生し、床を伝って居住者に冷気が及ぶ所謂コールドドラフト現象が発生し易い。この点、開口部１２付近の温度を面格子本体２２によって高めることができ、コールドドラフト現象の発生を抑制することができる。以上により、冬季における快適な住環境を面格子２１によって提供することができる。
【００３７】
しかも、上記のような開口部１２を屋内側から暖める機能を、別途暖房機を設置することにより得るのではなく、面格子２１によって得ているため、スペースの有効利用を図ることができる。特に、面格子２１に外的付加として暖房機能を設けるのではなく、枠２３〜２５内に温水の循環路４６を形成することによって実現しているので、単に面格子２１を設置する場合に比べ、殆どスペース増大がないから、スペースの一層の有効活用が可能である。
【００３８】
また、面格子２１に温水を供給することとし、この温水は建物に設置された温水供給装置６２を利用することとした。ここで、温水供給装置６２は、建物内に設けられる各所の蛇口への温水供給や、浴槽への温水供給に用いるものを兼用することができる。したがって、温水供給装置６２を有する住宅においては本実施形態の面格子２１を大幅なコストアップなく採用することができる。
【００３９】
また、面格子本体２２はその左縦枠２３を中心に回動可能とされ、開口部１２を面格子２１による被覆状態から開放することができる。これにより、非常時の脱出ルートを確保することができ、窓１３の清掃にも便利であり、開口部１２にカーテン等の目隠しを施す場合の対応も容易になる。しかも、面格子本体２２は右縦枠２４側においてロック状態とすることができるため、開口部１２を面格子本体２２で覆った状態を確実に維持することができる。
【００４０】
さらに、面格子本体２２の回動中心軸線を左縦枠２３に設定し、そこに弾性チューブ５１を接続したので、面格子本体２２を開口部１２から開放する場合に弾性チューブ５１を外す必要はないし、左縦枠２３の回動に伴う弾性チューブ５１上端の変位は当該弾性チューブ５１自身の捩れによって吸収することができるので、面格子本体２２を回動させる操作が簡単になる。
【００４１】
なお、以上説明した実施形態に限らず、例えば以下に別例として示した形態で実施することもできる。
【００４２】
・面格子本体２２を、一対の縦枠２３，２４と複数の横枠２５とにより構成したが、そ
れ以外の構成により面格子本体を構成してもよい。例えば、一対の横枠と、両横枠間に掛け渡される複数の縦枠とから面格子本体を構成してもよい。また、矩形枠内にて斜めに延びる枠材を複数本取り付け、さらには当該枠材が交差するようにして取り付けることもできる。
【００４３】
・面格子本体２２の左右一側である左縦枠２３を中心に面格子本体２２を側方へ回動させたが、最上段又は最下段の横枠２５を中心に面格子本体２２を上下へ回動させるように構成してもよい。また、面格子本体２２の全体が回動するように構成したが、面格子本体２２の一部が回動するように構成してもよい。このような一部が回動する構成は、面格子本体２２の一部を固定格子部とし、その他の部分を固定格子部に対して回動可能に支持された回動格子部とすることにより実現できる。
【００４４】
・面格子本体２２を構成する全ての縦枠２３，２４及び横枠２５を管体によって構成してこれら全てを温水が通過する循環路４６を形成したが、それらの一部についてのみ温水を循環させる循環路を形成するようにしてもよい。また、熱媒体としては温水に限らず、不凍液等の他の液体を用いてもよく、不凍液を用いた場合には寒冷地などにおいて凍結のおそれがない点で好ましい。
【００４５】
・面格子本体２２の内部に温水等の熱媒体を循環させるのに代えて、他の熱源を利用してもよい。他の熱源としては、縦枠２３，２４や横枠２５に電気ヒータを内蔵したり熱線を通す例が考えられる。この場合、面格子本体２２の回動軸線を形成する左縦枠２３の下端に、前記電気ヒータや熱線に電源を供給するために電源コードが接続されるようにすれば、面格子本体２２を回動させた際に電源コードが外れたり切断されるおそれがない。
【００４６】
・面格子２１を建物の屋内に取り付けた例について説明したが、建物の屋外に設けることも可能である。この場合であっても、屋外側の窓１３を含む開口部１２の温度が高められることにより屋内側との温度差が小さくなって、コールドドラフト現象の低減に寄与する。但し、屋内側に設ける場合よりもその効果は低くなる。一方、豪雪地などでは、面格子２１に積もる雪や付着した氷を溶かす役割も期待でき、開口部１２の屋外側に設けることの利点は大きい。なお、面格子２１を屋外側に設ける場合には、防犯の観点から面格子本体２２を回動できないようにするか、施錠装置を取り付けて通常は施錠しておき屋内側からのみ解錠できるようにしておくことが好ましい。
【図面の簡単な説明】
【００４７】
【図１】面格子の正面図。
【図２】面格子の右側面図。
【図３】面格子の左側面図。
【図４】面格子の平面図。
【符号の説明】
【００４８】
１１…壁、１２…開口部、１３…窓、１４…屋内側壁面、２１…面格子、２２…面格子本体、２３…枠体及び回動軸としての左縦枠、２４…枠体としての右縦枠、２５…枠体としての横枠、２６…取付部としてのブラケット、２８…貫通孔、３１…接続部、回動軸及びロック手段としての突部、４６…循環路、５１…給排管及びフレキシブルチューブとしての弾性チューブ、６２…温水供給装置。
【図１】
0004674300.tif 000002
【図２】
0004674300.tif 000003
【図３】
0004674300.tif 000004
【図４】
0004674300.tif 000005